(57)【特許請求の範囲】
【請求項１】
番組ガイド情報を受信し、チャンネルに対し時間毎の番組を表形式で表示する受信機において、
前記番組ガイド情報に基づきそれぞれのチャンネルの所定時間の番組情報を第１の表示領域に表示する第１の表示手段と、
前記番組ガイド情報から所望の番組情報を取り出し前記第１の表示領域とは異なる第２の表示領域に表示する第２の表示手段とを備え、
前記第２の表示手段は、前記第１の表示手段により表示される番組情報の時間帯に前記第２の表示領域に表示される情報があるときは、前記第２の表示領域に番組情報を表示し、前記第２の表示領域に表示すべき番組情報がないときは前記第２の表示領域を縮小させることを特徴とする受信機。
【請求項２】
請求項１記載の受信機において、前記第２の表示手段により表示される前記第２の表示領域を拡大表示することを特徴とする受信機。
【請求項３】
請求項１記載の受信機において、前記第２の表示手段は前記第２の表示領域に複数の番組情報を表示可能であることを特徴とする受信機。
【発明の詳細な説明】
【０００１】
【発明の属する技術分野】
本発明は、番組ガイド情報を受信可能な放送・通信システムにおいて、ユーザーが関心ある番組の放送予定を容易に認識できるしくみが施された受信機、チューナー内蔵ＴＶ及びチューナーに関する。
【０００２】
【従来の技術】
放送や通信のデジタル化に伴い、番組の放送予定に関する情報であるＥｒｅｃｔｏｒｉｃ  Ｐｒｏｇｒａｍ  Ｇｕｉｄｅと呼ばれる番組ガイド情報を表示ディスプレイを持った受信機（例えば、テレビジョン受信機）や、受信機に接続された表示モニタに表示することにより、画面上で番組の放送予定を確認できる受信機が提供されている。（以下、画面上に表示される番組ガイドを単に「番組ガイド」という。）ただし、画面内に一度にすべての番組情報を表示するには、認識できる文字のサイズの問題や解像度の問題で不可能である。
【０００３】
そこで、特開平１０−２０８３２８号公報には、縦と横の軸に放送局と時間をそれぞれ割り当てた表形式で表示し、その表示する放送局や時間帯を上下、左右方向に切換えることにより、表示されていない番組を表示して閲覧する方法が開示されている。
【０００４】
また、この番組ガイド情報を画面に表示することによってユーザーが将来の番組の放送予定を画面上で知ることができるようにした例が特開平１０−２０８３２８号公報に開示されている。この公報では、画面上の番組表から特定の番組の放送時間になると当該番組がＶＴＲに自動的に録画される録画予約機能を持つ受信機や、自動的に当該番組がテレビ画面上に表示されるように設定する視聴予約機能を持つ受信機が提供されている。
【０００５】
また、特開平１０−２０８３２８号公報には、予約された番組を一覧表示できる受信機や、表形式による番組ガイド表示において、予約設定されている番組の表示にアイコンを付加したり、他の番組とは文字色や背景色が異なる表現をすることによってユーザーに認識させる受信機が開示されている。
【０００６】
【発明が解決しようとする課題】
近い将来、放送衛星等を用いたデジタル放送などにより、視聴できるチャンネル数、番組数が飛躍的に多くなることが予想される。番組ガイドは、各放送局の放送予定を提示するものであり、通常、縦横の各軸が放送局と時間による表形式によって各放送局の番組タイトル等の情報が表示されるが、認識できる表示文字サイズには限界があるので、モニタ画面上に表示する番組表で表示できる番組数は限られてくる。従って、放送される番組数が多くなると、ユーザーは画面上に表示される番組表を閲覧する際に、表示する放送局や番組を切換える操作が多くなり、その操作は面倒である。
【０００７】
また、番組ガイドの情報が数日先の番組情報まで送られてきた場合、ユーザーは数日先の番組も番組ガイドにより知ることができるが、ユーザーが番組ガイドの表示を数日先に切換えて、数日先の自分の関心ある番組を見つけたとしても、その当日になるとその番組内容や放送時間、放送局に関する記憶が薄れるので、自分の興味のある番組かどうかを再度番組ガイドの表示を切換えながら探すという作業を度々行ってしまうことあがあった。
【０００８】
また、ユーザーが番組ガイドを閲覧して数時間先や数日先の番組で自分の関心ある番組に対して、その放送時間になると自動的に選局されるようにする視聴予約や、その番組を自動的にＶＴＲに録画する録画予約の設定が行われる受信機も存在し、それらの設定を施した番組の一覧を表示することによって、それらの番組を認識できるものがある。しかし、まだ閲覧していない番組情報の中に、より自分の関心ある番組が存在する可能性もあり、自分の関心のある番組を探すために、番組ガイドを表示して放送局を切換えて閲覧するという作業を繰り返す場合が多い。この場合は、今後チャンネル数が増加してくると、すべての番組情報を閲覧してから自分がもっとも関心のある番組に対して予約の設定を行う操作が必要になり、事実上操作困難になると思われる。
また、予約設定をしていない番組の放送予定が変更された場合、変更された番組と予約設定した番組を同時に見ることができない問題があった。
【０００９】
本発明は、上記の問題に鑑みて為されたものであって、その目的は、ユーザーが関心ある番組の放送予定を簡易に確認でき、かつ、放送予定の変更もありうる最新の番組の放送予定も同時に閲覧できるようにすることにより、容易にユーザー自身が関心ある番組の放送予定を認識できる受信機、チューナー内蔵受信機及びチューナーを提供することにある。
【００１０】
【課題を解決するための手段】
本課題を解決するために、番組ガイドを表形式で表示する際に、各放送局の番組ガイド情報と、特定の設定を施した番組ガイド情報を同時に表示する手段を設けた。
【００１１】
本発明の目的を達成するために、第１の発明では、番組ガイド情報を受信し、チャンネルに対し時間毎の番組を表形式で表示することができ受信機において、特定の設定を施した番組を前記表の特例領域に表示するように構成される。
【００１２】
第２の発明では、番組ガイド情報を受信し、チャンネルと時間による表形式で表示することができる受信機において、前記表の表示領域の時間帯に特定の設定を施した番組が存在する場合、前記特定の設定を施した番組を前記表示領域の特定領域に表示するように構成される。
【００１３】
第２の発明において、前記表示領域で表示される時間帯に前記特定領域に表示すべき前記特定の設定が施された番組がない場合には前記特定領域を縮小するように構成される。また、前記特定領域を拡大表示することができるようにしても良い。また、前記特定の設定が施された番組を複数種類の番組に区別しても良い。前記複数種類の番組は視聴予約番組、録画予約番組、その他チェックのための番組に区別され、これらは互いに識別できるように表示される。また、前記特定領域を複数設け、前記各特定領域に前記特定の設定が施された番組を設定し、前記複数の特定領域を切り替えて表示すると好適である。
第２の発明において、番組ガイド情報に付加されて送信される情報から、番組を分類して表示し、前記分類を選択することによって、前記選択された分類の番組を時間帯に応じて特定領域に表示しても良い。
【００１４】
第３の発明では、番組ガイド情報を受信し、チャンネルと時間による表形式で表示することが可能な受信機において、番組に特定の設定を施し、番組ガイド情報を表示する表示時間帯に前記特定の設定を施した番組が存在する場合には、それらの表示時間帯の特定の領域に前記特定の設定を施した番組を表示するように制御する制御手段を備える。
第３の発明において、前記特定の設定を施した番組ガイド情報と前記特定の設定を施していない番組ガイド情報とを同一画面に表示する。また、前記特定の設定を施した前記番組ガイド情報を表示したまま、番組ガイドの表示チャンネル、時間帯を切換えて表示することができるように構成する。また、前記特定の設定を施した番組ガイド情報が同一時間帯において重複する場合、その重複が視覚的に認識できるように表示する。
【００１５】
第４の発明では、チューナは、受信されたテレビジョン信号を復調して得られたディジタル信号列から所望の番組及び番組ガイド情報を得るためのデ・マルチプレクサと、前記デ・マルチプレクサで分離された番組ガイド情報を記憶するデータ記憶するデータ記憶部と、外部からの指令によって、前記データ記憶部に記憶された番組ガイド情報の内の特定の番組情報を記憶するための特定データ記憶部と、前記データ記憶部に記憶された番組ガイド情報と前記特定データ記憶部からの番組情報から表示データを作成する表示データ作成部と、これらの各ブロックを制御する制御マイコンと、を備え、前記制御マイコンの指令によって、前記表示データ作成部は、チャンネル番号に対し時間毎の番組を表形式で表示すると共に、前記特定の設定を施した番組を前記表の特例領域に表示できる表示データを作成するように構成される。
第４の発明において、時計装置を設け、前記特定領域は表示される時間帯に対応して設けられる。
【００１６】
第５の発明では、チューナ内蔵ＴＶは、受信されたテレビジョン信号を復調して得られたディジタル信号列から所望の番組及び番組ガイド情報を得るためのデ・マルチプレクサと、前記デ・マルチプレクサで分離された番組ガイド情報を記憶するデータ記憶するデータ記憶部と、外部からの指令によって、前記データ記憶部に記憶された番組ガイド情報の内の特定の番組情報を記憶するための特定データ記憶部と、前記データ記憶部に記憶された番組ガイド情報と前記特定データ記憶部からの番組情報から表示データを作成する表示データ作成部と、これらの各ブロックを制御する制御マイコンと、表示ディスプレイとを備え、前記制御マイコンからの指令によって、前記表示データ作成部はチャンネル番号に対し時間毎の番組を表形式で表示すると共に、前記特定の設定を施した番組を前記表の特例領域に表示することができる表示データを作成して、前記表示ディスプレイに表示するように構成される。
【００１７】
第５の発明において、時計装置を設け、前記特定領域は表示される時間帯に対応して設けられるように構成される。また、前記表示データ作成部は、前記制御マイコンの制御によって、前記表示領域で表示される時間帯に前記特定領域に表示すべき前記特定の設定が施された番組がない場合には前記特定領域を縮小するように表示データを作成する。
【００１８】
【発明の実施の形態】
以下、本発明の実施の形態について、幾つかの実施例を用い、図面を参照して説明する。
図１は本発明による受信機の一実施例を示すブロック図であり、１０１は受信アンテナ、１０２は選局部、１０３は復調／誤り訂正部、１０４はデ・マルチプレクサ、１０５はＭＰＥＧデコーダ、１０６は制御マイコン、１０７は時計装置、１０８はデータ記憶部、１１４は特定データ記憶部、１０９は表示データ作成部、１１０は制御入力部、１１１は制御出力部、１１２は信号切換部、１１３は表示モニタである。
【００１９】
次に、各回路の動作について説明する。まず、受信アンテナ１０１から入力された信号は選局部１０２に入力され、所望の伝送チャンネルが選択される。選局部１０２から出力された信号は復調／誤り訂正部１０３に入力され、ディジタル信号列が出力される。このとき、入力された信号に誤りがあれば、誤り訂正されて出力される。
【００２０】
出力されたディジタル信号列は、デ・マルチプレクサ１０４に入力され、所望の番組やデータが取り出され、出力される。デ・マルチプレクサ１０４から出力された信号はＭＰＥＧデコーダ１０５に入力され、映像信号及び音声信号が復号される。復号された映像信号は信号切換部１１２に入力され、グラフィック情報やオンスクリーン上に表示する信号と切換えられて、表示モニタ１１３に入力される。表示モニタ１１３は、入力された信号を所定の大きさで表示する。
【００２１】
一方、制御マイコン１０６は、選局部１０２、復調／誤り訂正部１０３、デ・マルチプレクサ１０４、ＭＰＥＧデコーダ１０５に接続され、各ブロックの各種設定や制御を行うとともに、制御入力部１１０と接続され、後述するリモートコントローラから出力された信号を受け取る。制御出力部１１１は制御マイコン１０６から出力される制御情報を外部に配置されたＶＴＲ等の機器に出力する。例えば、制御出力部１１１内部に設けられた赤外線コントローラ、又は制御出力部１１１に接続された赤外線コントローラからＶＴＲに向けて赤外線が放射され、録画を開始させたり、録画を停止させたりする。
【００２２】
また、制御マイコン１０６は、デ・マルチプレクサ１０４で分離された番組ガイドの情報を取り込み、表示のために必要な処理を施して、データ記憶部１０８に格納する。後述するリモートコントローラから番組表を表示するためのコマンドが出力され、制御入力部１１０に入力された時、制御マイコン１０６は、データ記憶部１０８に対し、格納された番組データから指定する日時、チャンネル等の情報を表示データ作成部１０９に出力するよう制御する。同時に制御マイコン１０６は、特定データ記憶部１１４に対し、格納された指定日時の特定番組データを表示データ作成部１０９に出力するよう制御する。
【００２３】
表示データ作成部１０９は、入力された情報から番組表画面を作成し、信号切換部１１２に出力する。信号切換部１１２は、番組表情報が入力されると、ＭＰＥＧデコーダ１０５から出力された映像信号を表示データ作成部１０９から出力された番組表画面に切り換えて表示モニタ１１３に出力する。表示モニタ１１３は、入力された番組表情報を画面に表示する。この場合、画面には、データ記憶部１０８から出力された通常の番組表と特定データ記憶部１１４から出力された特定の番組表が同時に表示される。
なお、本受信機は、表示モニタ１１３まで含むテレビのような形態と、表示モニタ１１３までは含まないセットトップボックスの形態がある。
【００２４】
ここで、表示モニタ１１３に実際に表示される画面の様子を図２を用いて説明する。
図２は本発明の受信機によって番組表が表示されたモニタ画面の正面図である。
図２において、２０１、２０２、２０３はチャンネル番号、２０４、２０５、２０６は時間帯、２０７はユーザー自身が興味ある番組として登録した番組を示す「ＭＹ番組」表示領域、２０８はその登録番組を示す。
ＰＭ６：００からＰＭ９：００の時間帯、及びチャンネル番号２０１、２０２、２０３で構成される長方形領域が図１に示すデータ記憶部１０８のデータから作成される番組表であり、「ＭＹ番組」表示領域２０７は前記した特定データ記憶部１１４のデータから作成される番組表である。
【００２５】
図２において、「ＭＹ番組」表示領域２０７には、ＣＨ１のＰＭ６：００からＰＭ７：００に「ゴルフレッスン」というユーザーが関心のある番組が表示される。この「ＭＹ番組」表示領域２０７は、番組表で表示するチャンネルを切換えても、画面右側に固定表示されるもので、本画面構成によってユーザーは、瞬時に自分の関心ある番組を認識でき、同時に、自分が興味がある番組として登録していない番組を閲覧できる。
【００２６】
図３は本発明による受信機に使用されるリモートコントローラの一実施例を示す正面図である。
図３において、３００はリモートコントローラ（以下、単にリモコンと言う）、３０１は電源キー、３０２は番組表キー、３０３はＭＹ番組キー、３０４は上キー、３０５は下キー、３０６は左キー、３０７は右キー、３０８は決定キー、３０９は登録キー、３１０は音量キー、３１１はチャンネルキーである。
【００２７】
次に動作について説明する。図３において、番組表キー３０２は、番組の放送予定を示す番組表を表示するために用いる。番組表キー３０２が押下されると、リモコン３００から信号が出力され、画面には図２に示したような番組表が表示される。表示された番組表は、一つの番組を黒枠で囲ったり、色を付けたりして、表示されている複数の番組から一つの番組が特定できるように構成されており、その黒枠や色を付けられている部分を上キー３０４、下キー３０５、左キー３０６、右キー３０７で移動させる。また、黒枠等が配置された状態で、決定キー３０８を押下すると、そのチャンネルに切り替わったり、詳細な番組内容が表示される。
【００２８】
ＭＹ番組キー３０３は特定の設定を施した番組のみを表示するために用いるキーである。登録キー３０９は特定の登録を行うときに用いるキーであり、このキーの機能については図１８を用いて詳細に説明する。電源キー３０１、音量キー３１０、チャンネルキー３１１は、通常のリモートコントローラに用いられるものと同じであるため、説明は省略する。
【００２９】
ここで、図２に示すような自分の興味のある番組が容易に認識できる番組表を表示させるためには、まず、ユーザーが番組表の中から自分の関心のある番組に対して特定の設定を行う必要がある。
【００３０】
図４はユーザーがＭＹ番組を設定する前の表示モニタ画面の正面図である。ユーザーが自分の興味のある番組、即ちＭＹ番組を設定する前は、図３に示すリモコンの番組表キー３０２を押下することによって表示モニタ１１３に表示される番組表の画面を示す。４０１は表示している番組表の日付情報であり、４０２は現在表示している番組ガイドの時間帯が午前であるか午後であるかを示し、４０３は時間、４０４はチャンネル、４０５は番組、４０６は操作のためのガイド表示である。２０７は、ユーザーが登録した自分の興味のある番組を表示する「ＭＹ番組」表示領域であるが、本画面においては、登録されている番組がないので極小化されて表示されている。
【００３１】
ユーザーが図３に示すリモコン３００の番組表キー３０２を押下し、図１に示す制御入力部１１０がそのコマンドを検知すると、制御マイコン１０６は、時計装置１０７より現在時刻情報を取得し、現在時刻以降の番組ガイドの表示データを表示データ作成部１０９にて作成させ、信号切換部１１２から出力させることによりモニタ画面１１３に表示する。本番組表を表示のためのプログラムは、制御マイコン１０６内のメモリ内に格納されている。
【００３２】
図４に示す４００は表示されている番組のうち一つの番組を選択していることを示す選択枠であり、この選択枠４００は、図３に示すリモコンの上キー３０４、下キー３０５、左キー３０６、右キー３０７を押下することにより移動させることができる。これは、図１に示す制御入力部１１０がリモコン３００からの上キー３０４、下キー３０５、左キー３０６、右キー３０７のコマンドを検知すると、制御マイコン１０６は、現在選択している番組のチャンネル、放送時間の情報と、その上下左右のコマンドにより、選択すべき番組のチャンネル、放送時間をデータ記憶部１０８内に格納されている番組データから判定し、その番組に対して選択枠４００を付加して表示データ作成部１０９にて番組表が作成され、信号切換部１１２により出力することにより画面上に表示される。
【００３３】
また、図４に示す番組表では、チャンネルがＣＨ１からＣＨ４で時間がＰＭ６：００からＰＭ９：００の番組情報が表示されているが、表示するチャンネルや時間帯はリモコン３００の上下左右キー３０４〜３０７で選択枠４００を番組表の枠方向に移動させるように操作することにより、切換えて表示することができる。
例えば、リモートコントローラー３００の下キー３０５を押下することにより、選択枠４００を最下段の番組へ移動させた後、さらにリモートコントローラー３００の下キー３０５を押下すると、現在表示している時間帯の後の番組ガイドを表示することができる。図４に示すようにＰＭ６：００からＰＭ９：００の時間帯を表示している場合には、前記操作により、ＰＭ９：００からＰＭ１１：００の番組ガイドが表示される。最上段の番組を選択中にリモコン３００の上キー３０４が押下された場合は、表示されている時間帯よりも前の時間帯が表示される。但し、現在時刻よりも前の時間帯は表示されない。
【００３４】
また、番組表内の最右部の番組を選択枠４００が選択している状態で、さらにリモコン３００の右キー３０７が押下されると、チャンネル番号がさらに大きいチャンネルの番組表が表示される。同様に、最左部の番組を選択枠４００が選択している状態で、さらにリモコン３００の左キーが押下されると、チャンネル番号が現在表示されているチャンネルのものよりも小さいチャンネルの番組表が表示される。
これは、図１において、制御マイコン１０６は、現在選択している番組のチャンネル、放送時間の情報を認識すると同時に、表示されている番組表内の端部の番組であるかどうかを認識しており、リモコン３００の上キー３０４、下キー３０５、左キー３０６、右キー３０７のコマンドを制御入力部１１０が検知すると、制御マイコン１０６はデータ記憶部１０８より当該番組データを抽出して、表示データ作成部１０９に番組表データを作成させ、信号切換部１１２から出力させり。これによれ、番組表で表示するチャンネルや表示時間帯の切換えが可能となる。このようにして、ユーザーは番組表の表示エリアを切換えて、番組表を閲覧することができる。
【００３５】
ユーザーは、表示モニタ１１３上に表示される番組表を閲覧している時に、自分の興味がある番組を見つけると、リモコン３００の上キー３０４、下キー３０５、左キー３０６、右キー３０７を用いて所望の番組を選択して決定キー３０８を押下することにより、図５に示す画面のように、その番組の詳細情報５０２と、その番組に対する設定ボタン５０３、５０４、５０５等からなる「詳細情報、及び設定ウィンドウ」５０１を表示することができる。本実施例では、図４に示す番組表の画面の状態において、チャンネルＣＨ１で時間ＰＭ６：００からＰＭ７：００に放送される番組「ゴルフレッスン」を選択しているときに決定キー３０８を押下した場合について説明する。
【００３６】
図５はＭＹ番組の設定を説明するために表示モニタ画面の正面図である。
図１に示す制御入力部１１０がリモコン３００からの上キー３０４、下キー３０５、左キー３０６、右キー３０７コマンドを検知すると、制御マイコン１０６は番組データ記憶部１０８内に格納されている番組データと、選択枠４００が選択している番組のチャンネル、放送時間情報から、選択すべき番組を判断し、現在選択されている番組を把握し、表示データ作成部１０９により選択枠４００を移動させて表示データを信号切換部１１２より出力する。そして、決定キー３０８が押下されると、制御マイコン１０６は、現在選択されている番組の詳細データをデータ記憶部１０８から抽出し、表示データ作成部１０９で図５における「詳細情報、及び設定ウィンドウ」５０１を作成させ、番組表に重なった形式で信号切換部１１２より出力させることにより、図５に示す表示データを出力する。
【００３７】
図５において、５０１は選択されていた番組の「詳細情報、及び設定ウィンドウ」、５０２は選択された番組の詳細情報、５０３は視聴予約ボタン、５０４は録画予約ボタン、５０５はチェックボタン、５０６は、「詳細情報、及び設定ウィンドウ」５０１を閉じるボタン、そして４００はいずれかのボタン５０３から５０６を選択していることを示す選択枠である。
ボタン５０３、５０４、５０５、５０６は、画面上に表現されたものであり、リモコン３００の上キー３０４、下キー３０５を押下して選択し、決定キー３０８を押下することにより機能するものである。
【００３８】
ここで、視聴予約とは、設定された番組の開始時刻になると、受信機が電源と選局を制御することによりその番組の映像を画面上に表示する機能であり、ユーザーが見たい番組を見逃してしまうことを回避するために設定されたものである。
録画予約とは、設定された番組を、その番組の放送時間になると、例えば、図１の制御出力部１１１からの出力により、記録装置、例えばＶＴＲを制御して録画するようにする機能である。
【００３９】
チェックとは、選択された番組に対して、ユーザー自身が興味を持っているということを示す設定を行うものである。つまり、視聴予約や、録画予約のような明確な受信機の動作を伴う設定ではなく、自分の関心のある番組を番組表において認識しやすくするための設定である。以後、このような設定を単に「チェック」という。
これらチェック、視聴予約、番組予約の設定を行うことにより、ユーザーにとって関心のある番組が認識しやすい形式の番組表を表示することが可能となる。
【００４０】
次にチェックの設定について具体的に説明する。図５において、選択枠４００が「チェック」ボタン５０５を選択している状態のときに、リモコン３００の決定キー３０８が押下されると、図６に示す画面となり所望の番組のチェック設定、及びＭＹ番組への登録が完了し、画面は図７に示すようにＭＹ番組という表示領域２０７を有する番組表が表示される。このように、チェック設定された番組７０１は、ＭＹ番組という表示領域２０７にも表示される。
【００４１】
つまり、図５において、選択枠４００がチェックボタン５０５を選択状態のときに、リモコン３００の決定キー３０８が押下されると、図１における制御入力部１１０がリモコン３００のコマンドを検知し、制御マイコン１０６は、決定キー３０８が押される前に選択枠４００が選択していた番組（本例の場合はＣＨ１のＰＭ６：００からＰＭ７：００の番組）の番組データと、その番組がチェック登録されたという情報をデータ記憶部１１４に格納する。そして、表示する番組表の時間帯と、データ記憶部１１４に格納されているＭＹ番組へ登録された番組の時間帯を比較して、表示する番組表の時間帯内にチェック登録した番組が存在する場合には、表示データ作成部１０９において図７に示すようにＭＹ番組という表示領域２０７を確保し、かつ、その表示エリア内にチェックされた番組の番組タイトルと放送されるチャンネル番号情報７０１を、その番組の時間帯の幅を持って表示するように番組表を作成し、信号切換部１１２より出力することにより表示モニタ１１３へ表示する。
【００４２】
なお、図６はチェック設定を行った場合の表示モニタ画面を示す正面図である。また、図７はチェックされた番組がＭＹ番組に表示された場合の表示モニタ画面を示す正面図である。
視聴予約、録画予約に関しても、設定方法は上記「チェック」設定と同様な方法にて行うことができる。
【００４３】
ここで、図７に示すようにＭＹ番組の表示領域２０７が存在する場合において、番組表の表示エリアの切換え方、つまり、番組表に表示されていないチャンネルや、表示されていない時間帯の番組を表示するように画面を切換える方法について説明する。
まず、番組表で表示するチャンネルを切換える方法を説明する。
図７において表示されているチャンネルはＣＨ１、ＣＨ２、ＣＨ３であるが、ＣＨ４以降のチャンネルを表示させる場合は、まず、リモコン３００の右キー３０７を押下することにより、選択枠４００を番組表内の最右部の番組であるＭＹ番組内の番組７０１へ移動させる。その状態において、さらにリモコン３００の右キー３０７を押下すると、図２に示すように、ＭＹ番組の表示領域２０７は固定されたまま、ＣＨ３よりチャンネル番号が大きいＣＨ４、ＣＨ５、ＣＨ６の番組が表示される。
【００４４】
これは、図１に示す制御マイコン１０６は番組表において現在選択枠４００が選択している番組を把握しており、ＭＹ番組内の番組が選択された状態において、リモコン３００の右キー３０７のコマンドを制御入力部１１０が検知すると、制御マイコン１０６はデータ記憶部１０８からチャンネルがＣＨ４からＣＨ６で時間がＰＭ６：００から９：００の番組情報を抽出し、特定データ記憶部１１４に格納されている登録した番組情報とともに、表示データ作成部１０９によって番組表データを作成し、図２に示す番組表データを信号切換部１１２から出力することにより実現する。
【００４５】
また、現在表示中であるチャンネルよりもチャンネル番号が小さいチャンネルの番組を表示するには、番組表内の最左部の番組を選択して、さらにリモコン３００の左キー３０６を押下することにより切換えることが出来る。図２の場合においては、番組表内の最左部の番組であるＣＨ４の「世界のマジックショー」、「歌謡ヒットパレード」、または「ドラマ  大阪物語」を選択した状態でリモコン３００の左キー３０６を押下すると、ＣＨ１，ＣＨ２，ＣＨ３の番組が表示され、図７に示す画面が表示される。
この画面の切換え方法は、番組表で表示するチャンネルをチャンネル番号の大きい方へ切換えるときと同様な方法で実現できる。
【００４６】
前述したように、ＭＹ番組の表示領域２０７は、表示している番組表の時間帯にチェック設定した番組が存在する場合には常に番組表の右端に固定表示されるため、図２に示すように、チェック設定した番組が存在しないチャンネルの番組表を表示状態であっても常に表示されて確認することができる。つまり、この図２の画面例においては、ユーザーはＰＭ６：００からＰＭ９：００までの間のＣＨ４からＣＨ６の番組ガイドを表示しながら、ＣＨ１において放送される自分の関心のある番組である登録番組２０８を確認することができる。
【００４７】
このように、多くのチャンネルが存在している場合に、番組表内でユーザーが関心ある番組に対して一度設定をしておくと、その後ユーザーが番組ガイドを閲覧する際に、表示する番組ガイドの時間帯に設定した番組がある場合には、瞬時にそれらの番組を認識できるため、自分の関心のある番組が何か存在していないかと番組表の表示チャンネルを頻繁に切換える操作をしなくて済み、改めて自分の関心のある番組を探す手間を省くことができる。
また、番組表を閲覧して、自分に関心のある番組を見つけた時点でチェック設定すると「ＭＹ番組」表示領域２０７で、それらチェックした番組の情報を確認しながら、まだ閲覧していない番組情報を閲覧することができる。
【００４８】
また、番組の放送予定が変更されて、よりユーザーにとって関心のある番組が放送される可能性もあるが、最新の番組ガイド情報を、ＭＹ番組表示領域２０７に表示されたユーザーがチェックした番組と同時に確認することができるので、自分が以前チェックした番組を比較しながら、他の番組ガイド情報を閲覧することができる。つまり、以前に視聴したいと思って設定した番組と、設定していない番組ガイド情報を比較しながら番組ガイド情報を閲覧できるので、自分の視聴したい番組をより容易に、かつ確実に選択することが可能となる。
【００４９】
次に、番組表の表示時間帯を切換える方法について図８を用いて説明する。
図８は番組表の表示時間帯の切替を説明するための表示モニタ画面の正面図である。図２に示す番組表の表示状態において、選択枠４００をリモコン３００の下キー３０５を押下していくことにより、図８に示すように、番組表で表示する時間帯をＰＭ９：００からＰＭ１２：００に切換え婁ことができる。本実施例においては、ＰＭ９：００からＰＭ１２：００の時間帯において、ユーザーがチェック設定した番組が存在しないので、ＭＹ番組表示領域２０７は極小化されており、代わりに表示チャンネルがＣＨ４からＣＨ７の４局分表示されている。
【００５０】
図２でリモコン３００の下キー３０５が押下されて、番組表内の最下部の番組を選択した状態において、リモコン３００の下キー３０５が更に押下されると、図１に示す制御信号入力部１１０がそのコマンドを検知し、制御マイコン１０６は、表示すべき番組表の時間帯を判断する。そして、特定データ記憶部１１４内に格納されている、チェック設定された番組、視聴予約された番組、録画予約された番組の情報を参照することにより、表示すべき番組表の時間帯に、それらの設定された番組が存在するかどうかを判断して、存在しない場合には、ＭＹ番組の表示領域２０７を小さくし、通常のチャンネルを４局表示する形式にてＰＭ９：００からＰＭ１２：００の時間帯の番組表を、データ記憶部１０８に格納している番組ガイド情報を用いて表示データ作成部１０９にて作成し、信号切換部１１２より出力することにより表示モニタに出力する。
【００５１】
もし、表示すべき番組表の時間帯に、チェック設定された番組の放送時間帯が存在する場合は、図２と同様にＭＹ番組表示領域２０７を確保した形式にてＰＭ９：００からＰＭ１２：００の時間帯の番組表をデータ記憶部１０８に格納している番組情報と特定データ記憶部１１４内に格納されている、チェック設定された番組、視聴予約された番組、録画予約された番組情報を用いて表示データ作成部１０９にて表示データを作成し、信号切換部１１２より出力する。
【００５２】
この制御マイコン１０６の制御を図９を用いて説明する。
図９は制御マイコンの制御フローの一実施例を示すフローチャートである。ステップ９０１において、制御マイコン１０６は、リモコン３００から番組ガイド表示時間変更に関するコマンドを受け付けると、ステップ９０２に移行して、表示すべき番組ガイドの時間帯に、チェック、または予約設定された番組の時間帯が存在するかどうかを判断する。設定された番組が存在する場合には、ステップ９０３で、ＭＹ番組表示領域２０７を確保した形式で番組表を作成し、存在しない場合には、ステップ９０４に移行して、ＭＹ番組表示領域２０７を極小化して番組表を作成する。
【００５３】
つまり、表示すべき番組表の時間帯にチェック登録している番組が存在する場合には、その情報を表示し、チェック登録していない時間帯の番組表に、ＭＹ番組表示領域２０７を広く確保することは無駄であるので、ＭＹ番組表示領域２０７を狭くして、実際のチャンネルの番組を多く表示する。
【００５４】
このように番組表を表示したときに、番組表で表示されている時間帯にユーザーが過去にチェックした番組や、予約設定した番組が存在する場合には、画面上の番組表内に設定された番組が表示されるので、ユーザー自身の関心のある番組の放送予定がすぐに確認できる。また、それらチェックした番組と共に、通常の番組表情報も同時に表示され、かつ、それらのチャンネルを切換えて各放送局の番組を確認することが可能であるので、既にユーザーがチェックした番組と、新たに見つけた関心のある番組を比較することにより、自分の見たい番組を決定することができる。
【００５５】
以下、図１０を用いて、チェック設定や、予約設定した番組の時間帯が重複した場合の表示例を示す。
図１０は設定された番組の時間帯が重複した場合の表示モニタ画面の正面図である。図において、１００１から１００６は、それぞれチェック設定した番組である。ＰＭ７：００からＰＭ８：００時間帯は、チェックした番組が２番組あるので、この時間帯のＭＹ番組の領域２０７が縦に２分割された形式で表示される。
【００５６】
この表示動作は以下のように行われる。図１において、制御マイコン１０６は、データ記憶部１０８内に格納されている番組情報と、チェック設定した番組のチャンネル、放送時間、番組タイトル情報を参照し、チェック設定した番組の放送時間がＰＭ７：００からＰＭ８：００の間に２番組存在していることを判断し、表示データ作成部１０９によって、ＭＹ番組のＰＭ７：００からＰＭ９：００の枠内を２分割して、それぞれに番組タイトルとチャンネル番号を表示する形式にて表示データを作成させ、信号切換部１１２から出力させる。これにより、２番組の設定番組が表示モニタ１１３上に表示される。同様にして、制御マイコン１０６はＰＭ８：００からＰＭ９：００まではチェックした番組が３番組存在することを判断し、３分割して表示させる。
【００５７】
チェック番組に登録されたこれらの番組のタイトル情報は、選択枠４００でそれらの番組を選択することにより番組表上部の番組タイトル表示領域１００７で確認することが出来る。
この動作は、図１における制御マイコン１０６が、データ記憶部１０８と特定データ記憶部１１４に格納されている番組ガイド情報を用いて、選択されている番組のタイトル情報を番組タイトル表示領域１００７に表示する形式にて番組表の表示データをデータ作成部１０９で作成させ、信号切換部１１２から出力させることにより実現できる。
【００５８】
本実施例のように画面を構成することにより、ユーザーは自分に関心のある番組の時間帯の重複具合を一目で認識することができる。また、この重複具合を見て、視聴する番組の優先度を決定したり、録画予約する番組を決定する判断がしやすくなる。
本実施例ににおいては、同時間帯に重複して設定できる番組は３番組までとしているが、４番組以上設定可能としてもよい。
【００５９】
図１１はＭＹ番組のみを表示した場合の表示モニタ画面を示す正面図であり、図１０に示す画面の状態において、リモコン３００のＭＹ番組キー３０３を押下すると、図１１に示すＭＹ番組が表示される。図１０の画面においては、同時間帯にチェックした番組が複数存在するので、チェックしたそれぞれの番組内容を認識しにくいが、図１１の画面ではＭＹ番組の番組情報だけを画面のより広い領域を用いてわかりやすく表示することができる。
【００６０】
動作を図１を用いて説明すると、リモコン３００のＭＹ番組キー３０３が押下されると、図１に示す制御マイコン１０６が、制御入力部１１０からのコマンドを検知し、表示データ作成部１０９において図１１に示す表示データを作成させ、信号切換部１１２より出力させることにより表示モニタ１１３上に表示することができる。
また、受信機が番組表を表示していない状態において、リモコン３００のＭＹ番組キー３０３を押下することにより、直接図１１に示すように、ＭＹ番組に登録された番組のみを表示する形式にて表示することも可能である。
【００６１】
本実施例では、ユーザーが関心ある番組に対してチェック設定した場合を説明したが、チェック設定以外に、視聴予約設定、録画予約設定を行っている場合にも、視聴予約、録画予約設定した番組は同時に図１０におけるＭＹ番組表示領域２０７内に表示される。同様に図１１に示す表示形式においても視聴予約、録画予約した番組も表示される。この場合、チェック設定した番組、視聴予約設定された番組、録画予約設定された番組がそれぞれ識別できるように、例えば、それぞれの文字色、あるいは、背景色を異なる色を用いて表示する。これは、図１の特定データ記憶部１１４内に格納されているチェック設定番組、視聴予約設定番組、録画予約設定番組の各情報を制御マイコン１０６が識別することにより、表示データ作成部１０９にてそれぞれ特定の色を用いて表示データを作成することにより実現する。
【００６２】
次に、本受信機を複数のユーザーが使用することを想定して、チェック設定した番組の表示をユーザー別に切換えられるようにする例を図１２から図１４を用いて説明する。
図１２はチェック設定番組をユーザー別に登録可能な表示モニタ画面の正面図であり、図１３は選択されたＭＹ番組に登録されたことを示す表示モニタ画面の正面図であり、図１４は選択されたＭＹ番組領域にチェック設定された番組が表示された表示モニタ画面の正面図である。
図５に示す画面において、リモコン３００の上キー３０４、下キー３０５を押下することにより選択枠４００を移動し、画面上のチェックボタン５０５を選択して決定キー３０８を押下すると、図１における表示データ作成部１０９において表示データを作成して信号切換部１１２により出力することにより、図１２に示す画面が表示される。図１２において、リモコン３００の上キー３０４、下キー３０５を押下することにより、ＭＹ番組−Ａ１２０１、ＭＹ番組−Ｂ１２０２、ＭＹ番組−Ｃ１２０３のいずれかに選択枠４００を移動して、決定キー３０８を押下することにより、ＭＹ番組−Ａ１２０１、ＭＹ番組−Ｂ１２０２、ＭＹ番組−Ｃ１２０３のいずれかに登録することができる。つまり、図１において、制御入力部１１０がリモコン３００からの上キー３０４、下キー３０５のコマンドを検知し、制御マイコン１０６は、ＭＹ番組−Ａ１２０１、ＭＹ番組−Ｂ１２０２、ＭＹ番組−Ｃ１２０３のいずれかが選択枠４００で選ばれている表示データを表示データ作成部１０９で作成させ、信号切換部１１２により出力する。
【００６３】
そして、例えば、ＭＹ番組−Ｂ１２０２を選択状態のときに決定キー３０８を押下すると、図１の制御マイコン１０６は、当該番組がＭＹ番組−Ｂに登録されたという情報をデータ記憶部１０８に格納すると同時に、表示データ作成部１０９において、図１３に示すように登録が完了した旨を示すメッセージ画面を作成し、信号切換部１１２により出力することにより表示モニタ１１３上に表示する。
【００６４】
このようにＭＹ番組として、ＡからＣに分類して設定できる場合には、リモコン３００の番組表キー３０２を押下することにより表示される番組表は、図１４に示すように、ＭＹ番組表示領域１４０１には、ＭＹ番組−ＡからＣのいずれかに設定された番組が表示される。本例においては、ＭＹ番組−Ｂに登録された番組が表示されていることを示している。
【００６５】
次に、図１５を用いてＭＹ番組をユーザー別に設定できる本例に用いるリモコン１５００について説明する。
図１５は本発明による受信機に用いるリモートコントローラの他の実施例を示す正面図である。図において、リモコン１５００はＭＹ番組の表示を切換えるためのキー１５０１〜１５０３を持っている。他のキーは図３に示したリモコン３００と同様なので説明は省略する。
図１４に示す画面においては、ＭＹ番組領域１４０１にＭＹ番組−Ｂ１２０２が表示されているが、リモコン１５００のＡキー１５０１、Ｂキー１５０２、Ｃキー１５０３を押下することにより、図１に示す制御マイコン１０６は制御入力部１１０からいずれのキーが押下されたかを判断し、該当するＭＹ番組に登録されている情報をデータ記憶部１０８から抽出し、表示データ作成部１０９で表示データを作成し、信号切換部１１２から出力することにより、該当ＭＹ番組ＡからＣのいずれかの番組情報を切換えて表示する。
【００６６】
また、番組表が表示されていない状態において、リモコン１５００のＡキー１５０１、Ｂキー１５０２、又はＣキー１５０３を押下すると、ＭＹ番組−Ａ１２０１、ＭＹ番組−Ｂ１２０２、ＭＹ番組−Ｃ１２０３のいずれかの内の押下されたＭＹ番組に登録された番組のみを図１１の表示例のように大きく表示することも可能である。
これにより、本受信機を複数のユーザーが使用する場合にでも、各人が自分の関心ある番組を容易に認識することができるようになる。
なお、複数のＭＹ番組視聴予約をする場合、同じ時間帯に異なった番組が視聴予約された場合、先に予約した番組を優先して視聴できるようにするなどの優先順位を決める。
【００６７】
次に既にＭＹ番組に登録した番組を取り消す方法について説明する。
図７はＣＨ１のＰＭ６：００から７：００に「ゴルフレッスン」という番組がＭＹ番組にチェック設定されていることを示しているが、この登録された番組を取り消す例を図１６を用いて説明する。
図１６は設定された番組を取り消す場合の表示モニタ画面の正面図である。
【００６８】
図７において選択枠４００が、ＭＹ番組に登録されている番組「ゴルフレッスン」７０１を選択した状態において、リモコン３００の決定キー３０８を押下すると、図１６に示すように選択していた番組の詳細情報と設定ボタンを有する「詳細情報、及び設定ウィンドウ」１６０１が表示される。本ウィンドウ内１６０１には、視聴予約へ設定を変更する「視聴予約ボタン」１６０２、録画予約へ設定を変更する「録画予約ボタン」１６０３、そして、チェックとしての設定を取り消す「取り消しボタン」１６０４が設けられている。
【００６９】
この画面は、図１に示す制御マイコン１０６が、特定データ記憶部１１４に記憶されている設定情報により、選択されている番組が、チェック設定されている番組であることを判断し、リモコン３００の決定キー３０８のコマンドを制御入力部１１０から取得することにより、表示データ作成部１０９で表示データを作成し、信号切換部２１２から出力することにより表示モニタ上に表示される。
チェック設定されている本番組に対するチェック設定を取り消すには、図１６の画面において、取り消しボタン１６０４を選択してリモコン３００の決定キー３０８を押下する。
【００７０】
つまり、リモコン３００の上下キー３０４、２０５を押下することにより、図１に示す制御マイコン１０６が、取り消しボタン１６０４に選択枠４００が付加した形で表示データを表示データ作成部２０９で作成し、信号切換部２１２から出力する。この状態において、リモコン３００の決定キー３０８が押下されると、図１において、制御マイコン１０６は制御入力部１１０よりリモコンからのコマンドを取得し、特定データ記憶部１１４内に格納されているチェック番組情報のなかから、当該番組がチェック番組登録されているという情報を消去し、その番組情報が、番組表のＭＹ番組表示領域に表示されない形で番組表を表示データ作成部２０９で作成して信号切換部１１２から出力することにより、図１７に示す番組表画面を表示モニタに表示する。
【００７１】
図１７は設定された番組が取り消された場合の表示モニタ画面の正面図である。
この図においては、番組表で表示されているＰＭ６：００からＰＭ９：００までの時間帯に、チェック登録、視聴予約、録画予約している番組が存在していないことを、制御マイコン１０６が特定データ記憶部１１４に格納されている情報を参照することにより判断し、ＭＹ番組表示領域２０７が極小化された形式にて番組表を表示データ作成部１０９にて作成して信号切換部１１２より出力することにより表示モニタ上に表示される。
このようにして、チェック設定された番組の設定を取り消し、ユーザーは設定が取り消されたことを確認できる。
視聴予約、録画予約の設定の取り消し方も、チェック設定のときと同様な方法で行うことができる。
【００７２】
これまで、番組表のＭＹ番組表示領域２０７に表示される番組をユーザーが自ら設定する方法について説明したが、ＭＹ番組表示領域に表示される番組を、番組情報に付随する情報により自動的に表示されるようにすることも考えられる。例えば、番組のジャンル、例えば「サッカー」番組はすべてＭＹ番組表示領域に表示されるようにしたり、特定の出演者が出演する番組があるとＭＹ番組表示領域に表示されるようにすることが考えられる。このようにすると、前述のようにユーザーが番組表を閲覧して、その中から番組を選択して設定するよりも、設定操作を軽減することができる。
【００７３】
特定ジャンルや、特定出演者の登録により、番組表のチェックＣＨ領域に該当番組を表示する例を説明する。
図１８（ａ）（ｂ）は、ＭＹ番組表示領域に、特定のジャンルの番組を表示させるための設定画面を示す表示モニタ画面の正面図である。
図３に示すリモコン３００の登録設定キー３０９を押下すると、図１に示す制御マイコン１０６は、制御入力部１１０からのリモコン３００のコマンドを取得し、図１８（ａ）に示す表示データを表示データ作成部１０９により作成し、信号切換部１１２により表示モニタ１１３上に表示する。このとき選択枠４００は、画面上のジャンル設定ボタン１８０１か出演者設定ボタン１８０２のいずれかを選択している状態で表示され、いずれかを選択するかは、リモコン３００の上キー３０４、下キー３０５を押下することにより切換えられる。
【００７４】
図１８（ａ）は、ジャンル設定ボタン１８０１が選択されていることを示しており、この状態において、リモコン３００の決定キー３０８が押下されると、図１における制御マイコン１０６は制御入力部１１０からのリモコンコマンドを取得し、図１８（ｂ）に示す表示データを表示データ作成部１０９により作成し、信号切換部１１２から出力することにより表示モニタ１１３上に表示する。１８０３はメインジャンルであり、１８０４は選択されているメインジャンルに関連したサブジャンルである。
【００７５】
リモコン３００の上キー３０４、下キー３０５を押下することにより、選択枠４００を移動させて、画面図１８（ｂ）に示す画面の左部に並ぶメインジャンル１８０３のいずれかを選択すると、連動して、画面の右部に選択されたメインジャンル１８０３に関するサブジャンル１８０４が画面右部に表示される。
これは、図１におけるデータ記憶部１０８に格納されている番組情報には、各番組に対して特定のジャンルコードが付加されている。この番組に対するジャンルコード情報は放送において送信されてくる番組情報上にあらかじめ付加されているものである。
【００７６】
このジャンルコードと対応したジャンル名の文字列が図１に示すデータ記憶部１０８内にあらかじめ用意されており、制御マイコン１０６はデータ記憶部１０８のこれらのジャンル名の文字列を用いて表示データ作成部１０９により図１８（ｂ）に示す表示データを作成し、信号切換部１１２により出力させることにより表示モニタ１１３上に表示する。
【００７７】
図１８（ｂ）の画面例では、画面左部のメインジャンル１８０３のスポーツが選択されており、画面右部には、スポーツのサブジャンル１８０４であるサッカー、ラグビー、レスリング、野球、ボクシングが表示されている。サブジャンル１８０４を選択するには、本画面の状態においてリモコン３００の右キー３０７を押下することにより、図１に示す制御マイコン１０６は制御入力部１１０からのリモコンコマンドを取得し、表示データ作成部１０９にて、サブジャンル１８０４に選択枠４００が移動した表示データを作成し信号切換１１２より出力することにより表示モニタ１１３上に表示することにより、選択することができる。
【００７８】
このように、図１８（ｂ）に示す画面の状態において、リモコン３００の上キー３０４、下キー３０５、左キー３０６、右キー３０７を用いて所望のジャンルを選択し、決定キー３０８を押下すると、図１における制御マイコン１０６は特定データ記憶部１１４内に、「ＭＹ番組」表示エリアに表示すべき番組のジャンル情報を記憶する。
【００７９】
そして、リモコン３００の番組表キー３０２が押下され番組表画面が呼び出されると、制御マイコン１０６は、データ記憶部１０８内に格納されている番組情報と、特定データ記憶部１１４内に格納されているＭＹ番組表示領域２０７に表示すべきジャンル情報、そして、時計装置１０７からの現在時刻情報を参照し、表示すべき番組表の時間帯に、設定されたジャンル情報に対応する番組が存在する場合には、図２に示すＭＹ番組表示領域２０７内に該当番組の情報を表示する形式にて、番組表表示データを表示データ作成部１０９で作成し、信号切換１１２から出力することにより表示モニタ１１３上に表示される。
また、受信機が番組表を表示していない状態において、リモコン３００のＭＹ番組キー３０３を押下すると、図１１に示すようにＭＹ番組登録された番組のみを表示する形式にて表示することも可能である。
【００８０】
このような設定、及び表示方法により、ユーザーは自分の関心のある番組ジャンルを設定しておくだけで、リモコンの番組表キー３０２を押下して番組表を画面上に呼び出したとき、あるいは、リモコン上のＭＹ番組キー３０３を押下するだけで、自分の関心あるジャンルに該当する番組の放送予定を認識することができるようになる。
【００８１】
次にＭＹ番組表示領域２０７に表示する番組を、出演者情報によって表示させる例について説明する。
図１９はＭＹ番組表示領域に、特定の出演者が出演する番組を表示させるための設定画面の一実施例を示す表示モニタ画面の正面図である。
図１８（ａ）にて出演者設定を選択して決定キー３０８が押下されると図１９に示す出演者設定画面が表示される。１９０１はひらがなの「あ」から「わ」であり、リモコン３００の左キー３０６、右キー３０７により選択枠１９０３を移動されることによっていずれかの文字を選択できる。本例では、選択枠１９０３は「あ」を選択しているので、出演者２９０２は「あ」からはじまる名前の出演者が表示される。
【００８２】
これは、放送信号により送られてくる番組ガイド情報の中に、番組の出演者とそのよみがな情報も含まれており、これらの情報が図１に示すデータ記憶部１０８に格納されいる。図１８（ａ）にて出演者設定１８０２を選択して決定キー３０８が押下すると、図１の制御マイコン１０６は制御入力部１１０からリモコンコマンドを取得し、データ記憶部１０８内に格納されている出演者情報のうち、「あ」で始まる読みである出演者を抽出し、図１９に示す表示データを表示データ作成部１０９により作成し、信号切換１１２より出力することにより表示モニタ上に出力する。本画面では、「あ」で始まる読みである出演者は４名しか表示されていないが、リモコン３００の下キー３０５を押下して選択枠１９０４を下に移動させていくことにより、表示されていない「あ」で始まる読みである出演者を表示させることができる。
【００８３】
また、「か」から「わ」で始まる読みである出演者を表示させるには、リモコン３００の右キー３０７を押下して選択枠１９０３で「か」から「わ」のいずれかを選択することにより、その読みで始まる出演者名が領域２９０２に表示される。これは、図１における制御マイコン１０６が制御入力部１１０からのリモコンコマンドを取得することにより、「あ」から「わ」のいずれかが選択されていることを認識し、選択された文字で始まる出演者情報をデータ記憶部１０８内から抽出して、表示データ作成部１０９において表示データを作成し信号切換１１２から出力することにより表示モニタ１１３上へ表示する。
【００８４】
このようにして出演者名を画面上に表示し、それから所望の出演者を選択して、決定キー３０８を押下することにより、選択されている出演者を登録することが出来る。
つまり、図１９に示す画面の状態において、リモコン３００の上キー３０４、下キー３０５、左キー３０６、右キー３０７を用いて所望の出演者を選択し、決定キー３０８を押下すると、図１における制御マイコン１０６は特定データ記憶部１１４内に、「ＭＹ番組」表示領域２０７に表示すべき番組の出演者情報を記憶する。これにより、リモコン３００の番組表キー３０２が押下され、番組表画面が呼び出されると、制御マイコン１０６は、データ記憶部１０８内に格納されている番組情報と、特定データ記憶部１１４に格納されているＭＹ番組表示領域２０７に表示すべき出演者情報、そして、時計装置１０７からの現在時刻情報を参照し、表示すべき番組表の時間帯に、設定された出演者が出演する番組が存在する場合には、図２に示すようにＭＹ番組表示領域２０７内に該当番組の情報を表示する形式にて、番組表表示データを表示データ作成部１０９で作成し、信号切換１１２から出力することにより表示モニタ１１３上に表示する。
【００８５】
また、受信機が番組表を表示していない状態において、リモコン３００のＭＹ番組キー３０３を押下すると、図１１に示すようなＭＹ番組登録された番組のみを表示する形式にて表示することも可能である。
このような設定、及び表示方法により、ユーザーは自分に関心のある出演者を設定しておくだけで、リモコンの番組表キー３０２を押下して番組表を画面上に呼び出したとき、あるいは、リモコン上のＭＹ番組キー３０３を押下するだけで、自分の関心ある出演者が出演する番組の放送予定を認識することができるようになる。
【００８６】
また、本発明においては、図１２に示すＭＹ番組Ａ１２０１、 ＭＹ番組Ｂ１２０２、又はＭＹ番組Ｃ１２０３にそれぞれ１っのジャンルを登録することによって、３っのジャンルの番組を図１５に示すリモコン１５００のＡからＢキー１５０１から１５０３のいずれかを用いてＭＹ番組領域に表示させることができる。このことは出演者を登録して、その出演者に対応する番組でＭＹ番組作成する場合にも応用することができる。
【００８７】
【発明の効果】
以上述べたように、本発明によれば、番組表を表示する受信機において、前もって番組表を閲覧して自分の興味のある番組に特定のチェックをしておくと、次に番組表を表示した際に、それらの番組が容易に確認でき、番組表の表示を切換える操作を省くことができる。
また、特定の番組ジャンルや、出演者を登録することにより、それらに該当する番組が認識しやすい形式にて番組表が表示され、それらの番組を容易に認識できるようになる。
【図面の簡単な説明】
【図１】本発明による受信機の一実施例を示すブロック図である。
【図２】本発明の受信機によって番組表が表示された表示モニタ画面の正面図である。
【図３】本発明による受信機に使用されるリモートコントローラの一実施例を示す正面図である。
【図４】ユーザーがＭＹ番組を設定する前の表示モニタ画面の正面図である。
【図５】ＭＹ番組の設定を説明するために表示モニタ画面の正面図である。
【図６】チェック設定を行った場合の表示モニタ画面を示す正面図である。本発明の実施形態による番組表の表示例を示す図である。
【図７】チェックされた番組がＭＹ番組に表示された場合の表示モニタ画面を示す正面図である。
【図８】番組表の表示時間帯の切替を説明するための表示モニタ画面の正面図である。
【図９】制御マイコンの制御フローの一実施例を示すフローチャートである。
【図１０】設定された番組の時間帯が重複した場合の表示モニタ画面の正面図である。
【図１１】ＭＹ番組のみを表示した場合の表示モニタ画面を示す正面図である。
【図１２】チェック設定番組をユーザー別に登録可能な表示モニタ画面の正面図である。
【図１３】選択されたＭＹ番組に登録されたことを示す表示モニタ画面の正面図である。
【図１４】選択されたＭＹ番組領域にチェック設定された番組が表示された表示モニタ画面の正面図である。
【図１５】本発明による受信機に用いるリモートコントローラの他の実施例を示す正面図である。
【図１６】設定された番組を取り消す場合の表示モニタ画面の正面図である。
【図１７】設定された番組が取り消された場合の表示モニタ画面の正面図である。
【図１８】ＭＹ番組表示領域に、特定のジャンルの番組を表示させるための設定画面を示す表示モニタ画面の正面図である。
【図１９】ＭＹ番組表示領域に、特定の出演者が出演する番組を表示させるための設定画面の一実施例を示す表示モニタ画面の正面図である。
【符号の説明】
１０１…アンテナ、１０２…選局部、１０３…復調部、１０４…デ・マルチプレクサ、１０５…ＭＰＥＧデコーダ、１０６…制御マイコン、１０７…時計装置、１０８…データ記憶部１０９…表示データ作成部、１１０…制御入力部、１１１…制御出力部、１１２…信号切換部、１１３…表示モニタ。
【図１】
0003652190.tif 000002
【図２】
0003652190.tif 000003
【図３】
0003652190.tif 000004
【図４】
0003652190.tif 000005
【図５】
0003652190.tif 000006
【図６】
0003652190.tif 000007
【図７】
0003652190.tif 000008
【図８】
0003652190.tif 000009
【図９】
0003652190.tif 000010
【図１０】
0003652190.tif 000011
【図１１】
0003652190.tif 000012
【図１２】
0003652190.tif 000013
【図１３】
0003652190.tif 000014
【図１４】
0003652190.tif 000015
【図１５】
0003652190.tif 000016
【図１６】
0003652190.tif 000017
【図１７】
0003652190.tif 000018
【図１８】
0003652190.tif 000019
【図１９】
0003652190.tif 000020